(57)【要約】本発明は、内装構法、特に部屋内に新たな壁を作り出すため、あるいは部屋の壁、天井又は屋根表面にパネル嵌めをするためのボードに関する。前記ボードの少なくとも２つの反対両端である第１及び第２端部には、自身を同じ種類の他のボードにリンクするための特に溝及び舌片構造を備える結合手段が設けられる。結合手段は、同じ種類の隣接するボードとのキャッチ、スナップ嵌入又はクリック嵌入を容易にする。更なる結合手段がボード自身又は該ボードを支持構造体上にしっかりと固定するために互いにリンクされた２つのボードに設けられる。本発明は、部屋の新たな壁を作り出すか又は部屋の既に現存する壁、天井又は屋根表面にパネルを嵌めるための方法にも関する。この方法によれば、第１ボードが取り付けられ、２つのボードの隣接する側面端縁上にキャッチ、スナップ嵌入又はクリック嵌入結合を確立することによって第２ボードが第１ボードにリンクされ、そして第２ボードが更なる留め手段によって固定される。【特許請求の範囲】
【請求項１】
内装構法、特に部屋の新たな壁を作るため又は部屋の壁、天井又は屋根表面にパネルを嵌めるためのボード（１）であって、
少なくとも２つの対辺上に設けられ、特に同じ形式の更なるボード（１）に結合させる舌片及び溝（２、３）から構成される第１及び第２の結合手段であって、該結合手段（２、３）が同じ形式の隣接するボード（１）に錠止、スナップ嵌入又はクリック嵌入結合可能にする、前記第１及び第２の結合手段、及び
前記ボード（１）を支持構造体（１５）にしっかりと固定する、前記ボード（１）自身又は２つの互いに結合するボード（１）に設けた更なる留め手段（２０、２７、３８、４４）を、備えるボード（１）。
【請求項２】
前記留め手段は、２つのボードが結合状態にある際に、２つの前記ボード（１）の結合領域にある少なくとも１つの凹所（３８、４４）によって構成され、そして前記凹所（３８、４４）内に、留めクリップ（１６）の一部（１９、１８）を受容することができることを特徴とする、請求項１に記載のボード。
【請求項３】
前記留め手段が、留めクリップ（１６）の一部（１９）を受容する少なくとも１つの溝（２０）を備えることを特徴とする、請求項１または請求項２に記載のボード。
【請求項４】
前記留め手段が、ねじ頭部又は釘頭部を受容する少なくとも１つの凹所（２７）を備えることを特徴とする、請求項１から請求項３までのいずれか１項に記載のボード。
【請求項５】
新たに設置した第２のボードが、第１の既に設置されたボード内で旋回し得るように、前記結合手段が構成されることを特徴とする、請求項１から請求項４までのいずれか１項に記載のボード。
【請求項６】
前記支持構造物（１５）の方へ面し、かつ前記ボードの可視面に隣接する前記溝（２）を境界付ける溝側材が、前記ボードの可視面に隣接する溝側材に対して突出することを特徴とする、請求項１から請求項５までのいずれか１項に記載のボード。
【請求項７】
２つの相互に結合されたボード（１）が、前記第１及び第２辺の方向に互いに対して移動可能であるように、前記結合手段が前記第１及び第２辺上に構成されることを特徴とする、請求項１から請求項６までのいずれか１項に記載のボード。
【請求項８】
前記第１及び第２辺上の前記結合手段に加えて、前記ボードは、また、錠止、スナップ嵌入又はクリック嵌入結合のための前記第３及び第４辺上の結合手段を備える、請求項１から請求項７までのいずれか１項に記載のボード。
【請求項９】
前記第３及び第４辺上の前記結合手段が、舌及び溝の構成から成り、前記舌片は、前記結合状態で、６ｍｍ以下、好ましくは４ｍｍ以下、前記溝内に突出することを特徴とする、請求項８に記載のボード。
【請求項１０】
空洞（４８）が、結合手段として働く溝に隣接すること９を特徴とする、請求項１から請求項９までのいずれか１項に記載のボード。
【請求項１１】
少なくとも一方の側に結合手段として、前記ボードの表面の方向に開口する溝（２）が設けられ、反対側にはこれに応じて前記ボード（１）の背面の方向に延在する舌片（３）が設けられることを特徴とする、請求項１から請求項１０までのいずれか１項に記載のボード。
【請求項１２】
前記ボードの背面に少なくとも部分的に自己接着性層が設けられることを特徴とする、請求項１から請求項１１までのいずれか１項に記載のボード。
【請求項１３】
前記ボードが自身の背面に支持構造体を取り付ける適切なアダプターを備えることを特徴とする、請求項１から請求項１２までのいずれか１項に記載のボード。
【請求項１４】
前記ボードが、前記支持構造体の一部を受容する、例えば、フライス研削された切込み、あるいは少なくとも１つの穴のような、少なくとも１つの凹所を備えることを特徴とする、請求項１から請求項１３までのいずれか１項に記載のボード。
【請求項１５】
前記ボードが、少なくとも部分的に木製材料又はプラスチック、あるいは改良された前記材料から構成される、請求項１から請求項１４までのいずれか１項に記載のボード。
【請求項１６】
弾性密封材料が前記ボードを包囲する前記端縁の少なくとも一部に配置されることを特徴とする、請求項１から請求項１５までのいずれか１項に記載のボード。
【請求項１７】
前記ボードが部屋の内装表面として適した１つ又は２つの表面を備えるような、表面仕上げシェル又は間仕切り壁として該ボードが構成されることを特徴とする、請求項１から請求項１６までのいずれか１項に記載のボード。
【請求項１８】
前記ボードが中間層を備え、かつ前記錠止装置（２、３）が前記中間層又は前記上側層の１つに形成されることを特徴とする、請求項１から請求項１７までのいずれか１項に記載のボード。
【請求項１９】
前記ボードの前面が、いかにも職人が作り出した壁外被らしい表面テクスチャを具備する表面を備え、該表面は特に壁紙又は石膏処理表面、あるいは塗装技術によって作り出した表面の突出部及び窪みを具備することを特徴とする、請求項１から請求項１８までのいずれか１項に記載のボード。
【請求項２０】
前記ボードが木材又はベニヤの外観、石、タイル貼り又は幻想的な装飾様式、あるいは職人が作り出した着色、特に不規則な着色で好ましくはラグ、スポンジ又はローラー技術で作り出した着色に対応する着色、あるいは該ボードが木製又は木製ベニヤから構成された層を備えることを特徴とする、請求項１から請求項１９までのいずれか１項に記載のボード。
【請求項２１】
前記表面テクスチャ及び、適用可能である場合には、着色が、前記ボードの全表面、好ましくは同じ形式の幾つかのボードの全表面に亘って不規則であることを特徴とする、請求項１から請求項２０までのいずれか１項に記載のボード。
【請求項２２】
前記ボードの前面に湿気に耐えることができる表面密封材が設けられることを特徴とする、請求項１から請求項２１までのいずれか１項に記載のボード。
【請求項２３】
前記ボードを包囲する前記端縁の少なくとも一部に弾性密封材料が配置されることを特徴とする、請求項１から請求項２２までのいずれか１項に記載のボード。
【請求項２４】
前記ボードを包囲する前記端縁の少なくとも一部に接着剤が配置されることを特徴とする、請求項１から請求項２３までのいずれか１項に記載のボード。
【請求項２５】
幾つかのボードの取付に際し、隣接するボードとの当接部を構成する、前記ボードの端縁の領域に糊受容チャネルが設けられることを特徴とする、請求項１から請求項２４までのいずれか１項に記載のボード。
【請求項２６】
少なくとも２つの反対側端縁に沿ってそれぞれの取り外し可能な保護帯片が設けられることを特徴とする、請求項１から請求項２５までのいずれか１項に記載のボード。
【請求項２７】
前記ボードが自身の背面に熱及び／又は音遮断材料及び／又は加熱又は空調装置、あるいは加熱又は空調構成要素層、特に加熱フィルムを備えることを特徴とする、請求項１から請求項２６までのいずれか１項に記載のボード。
【請求項２８】
部屋の新たな壁を作り出すか又は現存する壁にパネル嵌めをする方法であって、
最初に、第１ボード（１）が取り付けられ、次いで第２ボード（１）が前記第１ボード（１）に結合され、もって錠止、スナップ嵌入又はクリック嵌入結合がこれらの２つのボード（１）の隣接する端縁、特にこれらのボードの長手方向側面に作り出され、
次いで前記第２ボード（１）が付加的な留め手段によって固定されることを特徴とする方法。
【請求項２９】
錠止結合の形成において、前記第２ボード（１）が前記第１ボード（１）に斜めに加えられかつ旋回運動によって、該第１ボード（１）が位置する平面内に移動されることを特徴とする、請求項２８に記載の方法。
【請求項３０】
前記錠止結合の形成において、前記第２ボード（１）が、前記第１ボード（１）が位置する平面内で該第１ボード（１）に加えられ、かつ実質的に平らな摺動運動によってこれらの２つのボード（１）の隣接する側面端縁に結合が引き続いて形成されることを特徴とする、請求項２８に記載の方法。
【請求項３１】
留め手段として、少なくとも１つの留めクリップ（１６）及び少なくとも１つの溝（２０）が使用されて該留めクリップ（１６）の一部（１６）の一部（１９）を受容し、及び／又は幾つかのねじ又は釘、及び少なくとも１つの凹所（２７）が使用されて前記ねじの頭部又は釘の頭部を受容することを特徴とする、請求項２８から請求項３０までのいずれか１項に記載の方法。
【請求項３２】
第１及び第２ボードに引き続いて、第３ボードが前記第１及び第２ボードの両方に結合されるように該第３ボードが取り付けられ、錠止、スナップ嵌入又はクリック嵌入結合が形成されることを特徴とする、請求項２８から請求項３１までのいずれか１項に記載の方法。
【請求項３３】
前記第３ボードが旋回嵌入することによって前記第１ボードに結合されることを特徴とする、請求項３２に記載の方法。
【請求項３４】
前記第３ボードが、前記第２ボードに結合されるために、前記第１ボードとの結合端縁に平行に少なくとも僅か移動されることを特徴とする、請求項３２または請求項３３に記載の方法。
【請求項３５】
前記第３ボードが自身の表面に実質的に直角に行われる降下運動によって前記第２ボードに結合されることを特徴とする、請求項３２または請求項３３に記載の方法。
【発明の詳細な説明】
【０００１】
【発明の属する技術分野】
本発明は、特に、部屋の新しい壁及び表面仕上シェルを作り出し、あるいは部屋の壁、天井又は屋根表面にパネルを嵌める（ｐａｎｅｌｌｉｎｇ）、内装構法及び乾式構法で使用するためのボード、及び関連する方法に関する。
【０００２】
【従来の技術】
適切な支持体に固定される、例えば、石膏ボードのような大型ボードは、内装構法築の分野では周知である。乾式構法では、例えば、これらのボードは新しい間仕切壁を作るために金属外形（ｐｒｏｆｉｌｅｓ）に固定される。あるいは、パネル板を構成する目的で、ボードは壁に結合された木摺材に固定することができるか、あるいはこれらのボードは、例えば、屋根トラスの梁のような屋根スロープに固定することができる。ボードは人の背の高さ以上とすることができ、かつ１ｍを越える幅を備える。そのようなボードは、”１人ボード（ｏｎｅ−ｍａｎ ｂｏａｒｄｓ）”として周知であり、かつ、例えば、約１．５０×１．００ｍの寸法を備える。さらに、より大きな標準ボードは、例えば１．２５×２．５０ｍの寸法で存在し、これは、通常は２人のみで取り扱うことができる。
【０００３】
ボードが互いに隣接する、これらのボードの当接する端縁では、出来るだけ平ら、かつ目立たない遷移をさせることが必要である。このために、ボードの隣接する端縁は、２つのボードの各々の当接領域で平らにされる。比較的起伏のない平らにされた領域が２つの隣接するボードの当接する端縁で得られるように、ボードはかくして斜角を付される。この平らにされた領域は、フィラーで満たすことができる。その後、織物の帯片が湿ったフィラーに挿入される。この手段によって、例えば、ボードに亘って貼られた壁紙に連続したクラックが形成されるのを阻止するように、ボードは抗張力態様で互いに連結される。
【０００４】
独国実用新案第２９７  １９  ９８６号明細書から周知なのは、舌片と溝の結合によって隣接するパネル部材に連結することができるパネル部材である。溝は、所謂、溝両側面（ｇｒｏｏｖｅ ｃｈｅｅｋｓ）によって境界づけられる。関連する部屋から離れて面する側に位置する溝の側面は、留め手段を受け入れるための凹所を備える。開示されたパネルは、記載した固定手段によって副構造体に結合することができる。
【０００５】
錠止部材及び少なくとも２つのパネルから成る１組の組合せは、繰り上げ発行されていない欧州特許第１  １２０  ５１５号公報から周知である。第１パネルはクリップによってベースに固定される。第２パネルの舌片は第１パネルの溝に挿入され、かつクリップに形成された突出部分によって副構造体上かつ第１パネルに保持される。
【０００６】
同様の配置構成は、同様に繰り上げ発行されていないＷＯ  ０１／３８６６８号国際公報パンフレットから周知である。この場合、パネルはベースに固定される保持部材によって定位置に固定される。上述の両発行物では、パネルの錠止は別個の錠止又は保持部材によって行われるので、組立体は比較的複雑になり、柔軟性がなく、及び大きな寸法公差を受ける。
【０００７】
独国特許第１００  ０１  ０７６号明細書から周知なのは、隣接するパネル部材との錠止結合を可能にする舌片と溝の特別な結合を設けた床外被のために構成されたパネル部材である。換言すれば、結合時に、溝に接する部分の少なくとも１つが少なくとも簡単に偏向され、そしてこの部分が少なくとも実質的に後ろに移動され、かつ噛み合った態様で、隣接するパネルの舌片に設けた突片を保持するように錠止結合が形成される。
【０００８】
独国実用新案代２００  １７  １１４号公報は、例えば、ねじのような留め具がパネル部材を副構造体に結合させるために貫通して内部にねじ込むことができる凹所が存在するより下位の溝の側面上における床、天井又は壁のためのパネル部材を記載する。隣接するパネル部材は形態閉鎖型舌片によってこの態様で固定される第１パネル部材に結合することができる。
【０００９】
類似の形状構成は、少なくともその表面が金属から成るパネルのための特許第１１３５０７０６号明細書から周知である。
【００１０】
【発明が解決しようとする課題】
本発明の目的は、新しい壁又はパネリング（ｐａｎｅｌｌｉｎｇ）を形成する目的のために、低資源出費で時間節約の視覚的に人を引き付ける態様で同じ型式の更なるボードに連結することができる、内装建築及び乾式構法で使用するためのボードを創出することである。更に、これにふさわしい方法が作り出される。
【００１１】
【課題を解決するための手段】
この目的は、第１に、請求項１に記載されたボードによって達成される。
【００１２】
従って、同一形式の他のボードに連結されることに基づいて、隣接するボードのそれぞれに錠止結合を可能にするボード結合手段の少なくとも２つの対片側に第１及び第２辺（ｓｉｄｅｓ）が設けられる。これらの結合手段は、例えば、舌片及び溝の構成形態で設けることができる。特に、２つの対辺側の結合手段は、互いに捕足的である。その結果、ボードの側面端縁は同一形式のボードの反対側面端縁に錠止又は連結態様で結合することができる。本願明細書の”錠止結合”という用語は、暫時の撓みが結合領域、例えば、溝の境界を定める溝側面の１つにおけるような包み込まれた部分の１つで特に生じ、その結果、超過寸法であることが好ましい（一般的に）錠止突出部（と呼ばれる）を収容し得ることを意味する。換言すれば、そのような錠止、スナップ嵌入又はクリック嵌入結合の場合には、或る部分は、該部分が死点を通過するように移動される。これに基づいて、或る部分は、前記錠止突出部が堅固に保持されるように弾発的な態様で少なくとも部分的に後向きに動く。結合された状態では、このように移動される部分は、依然として少なくとも僅かに撓んだままに留めることができ、その結果、ボードを互いに引く力が働き続ける。しかしながら、結合状態では何の撓みもないが、同時に、互いに結合されたボードは離れて動かないように阻止されることも考えられる。錠止結合を行う、ボード上に設けた結合手段に関して、これらの結合手段はボード上に一体的に設けられることを強調すべきである。換言すれば、これらの結合手段は、ボード材料内で直に生産される。その結果、更なる結合手段の高価な設置は必要ない。
【００１３】
そのような錠止カップリングは、天井及び／又は壁に固定すべきである内装構法仕上作業用ボードが可視継手無しでまだ知られていない態様で互いに結合し得るという重要な利点を備える。”可視継手無しで”という用語は、２つの隣接するボード間に継手又は当接部が存在するが、継手は、それにも拘わらず、目立たないそのような品質及びそのような小さな寸法である。特に、特に良く貼付された壁紙の効果が創出されるか、他の表面形式の場合には継手がそれと分からないように、継手は、非常に良く仕上られた壁紙突合せ継手に相当する。これは、記述された錠止、スナップ嵌入（ｓｎａｐ−ｉｎ）又はクリック嵌入（ｃｌｉｃｋ−ｉｎ）結合が、ボード間の当接部を離す作業の必要性無しに良好な外観が保証されるように、２つの隣接するボードが離れて動かないように阻止するからである。
【００１４】
さらに、このように、全ての方向で当該側面端縁に直角な２つのボードを結合するカップリングが２つのボード間に形成される。換言すれば、２つのボードは、これらのボードの表面に直角な方角に互いに対して持上げることができない。更に、これらのボードは、これらのボードの表面に平行な方向に互いに容易に分離することができない。これはインターロックすなわち噛合い結合手段によって阻止される。このインターロックは、少なくとも使用期間の間、すなわちボードが間仕切り壁又はパネリングを構成する限りにおいては有効である。それにも拘わらず、ボードを互いから適切に係合解除することによって、損傷することなく非破壊的な態様でボードを互いに分離できるように、かつ別様に再使用することができるように構成することができる。
【００１５】
本発明によるボードは、ボードを支持構造体にしっかりと固定可能にする付加的な留め手段がボード自体又は２つの互いに結合されたボードにあるという点で、新しい壁を作るために、あるいは部屋の現存する表面にパネルを嵌めるために特に適している。特に、これらの留め手段は、２つの互いに結合されたボードの結合位置に設け得るものであり、もってボードを金属又はプラスチック製の適切なクリップ又はアダプタによって支持構造体にこの位置でしっかりと固定可能にする。以下に詳細に説明するように、これらの付加的な留め手段は、それそれのボードが適切なクリップ、ねじ又は釘によって支持構造体にしっかりと固定するように設け得る。支持構造体への固定は、接着又は結合によって、及びフックとループ又は磁気テープによっても行い得る。これにより、有利なことに、２つのボードが、互いにのみならず、これらのボードの下に位置する木、金属又はプラスチック製の支持構造体に確実に固定されることが保証される。この支持構造体は、例えば、屋根ビームで構成することができる。その結果、本発明によるボードは、これまでに使用された石膏ボードに取って代わることができる。石膏ボードと比較して、第１に、本発明によるボードは、このボードが実質的に石膏ボードより約３０％軽いという点で明瞭な長所を与える。従って、このボードは輸送し、小さな労力の消費で取り付けることができる。更に、本発明によるボードは、例えば、コンパス・ソー又はハンドヘルド円弧ソーで容易に加工することができる。他方で、本発明によるボードの使用は、石膏ボードの使用と異なり、突合せ継手の充填及びフィラー複合物の摩滅を含んでいない。これは、石膏ボードの使用で通常必要な広範囲な清掃作業も有利に保存する。特に、本発明によるボードは、有利なことに、懸架された天井、光間仕切り壁、化粧外郭及び屋根裏作業のための化粧面として適している。
【００１６】
本発明によるボードに目下意図されている寸法は、例えば、２．６５ｍｘ４１．５ｃｍ又は６２．５ｃｍであることに留意すべきである。更に、ボードの、所謂、短い長さは、約１．３ｍ、好ましくは１．２８５ｍの長さを備え得る。結合手段の連結構成は、２つの隣接するボード間の当接が大部分は目立たず、特に、例えば、接着剤を塗布した当接する壁紙帯片の継手よりも観る人にとっては目立たないことを保証する。特に、これまで必要であった継ぎ目の充填及び織物帯片への塗布は、結果として省略することができる。これは、作業の実質的な軽減を意味し、満足が行きかつ視覚的に魅力的な作業結果を保証する。更に、これらの結合手段は、自身の表面に関して同じレベルで２つの隣接するボードが整合されることを保証する。ボードの下の支持構造物への取付が単独で使用されると、ボードが同じレベル上にあり、かつ突出した偏倚が表面上に作られるであろうことは必ずしも保証されない。しかしながら、ボード上に構成された結合手段は、隣接するボードの表面が正確に面一となる態様で互いに取り付けるような精度で構成することができる。
【００１７】
更に、本発明によるボードは、有利なことに、構築に関して好ましい物理的特性を具備して設けることができる。例えば、ボードはＤＩＮ  ４１０２によってＢｉの低い可燃性分類を備える。更に、単一世帯及び２世帯の家に必要なＦ−３０Ｂ分類に到達することができる。さらに、本発明によるボードによって音及び熱遮断要件も有利に満たすことができる。特に、木製材料ＭＤＦから作られると、本発明によるボードは”Ｂｌｕｅ  Ａｎｇｅｌ”シールの要件を満たす、非常に低汚染物質材料として分類することができる。最後に、本発明によるボードは、種々の規則を満たすために気密又は拡散密にすることができる。
【００１８】
本発明の好ましい開発は、従属請求項に記載される。
【００１９】
特に有利であることが判明している実施形態は、ボードを支持構造体に固定する働きをする更なる留め手段が、少なくとも１つの凹所により構成され、この凹所は、２つのボードが結合状態にある際に、２つの該ボードの結合領域に存在し、かつこの凹所内は留めクリップを受容することができる。換言すれば、留めクリップの一部を受容する空間は、同一形式である本発明による２つのボード間の結合領域に適切に設けられる。これにより、第１に設置されたボードは１つ以上の留めクリップの使用によって基礎にしっかりと固定することができる。留めクリップによる固定は、既にしっかりと固定された第１のボードへの第２のボードの引き続く結合が妨害されないようにこの領域で達成される。結果として、有利なことに、幾つかのボードの組合せが、互いに継ぎ目がなく結合され、かつ信頼できる態様で支持構造体に結合されることを可能にする。留めクリップの使用における特別な利点は、留めクリップに対して全ての方向で移動可能であるように本発明によるボードを取り付け得ることにある。特に、本発明による幾つかのボードでパネル嵌めされたより大きな表面は、それぞれの当接部に垂直な方向に浮動態様で動くか又は”作動”することもでき、その結果として、全てのボードがクリップに対して或る範囲まで移動することができるという事実によって、構築又はボードの旋回に際してジョイントは開かない。このクリップによってボードは支持構造体上に保持される。
【００２０】
ボードを支持構造体にしっかりと固定するために、留めクリップの一部を受容する働きをする少なくとも１つの溝を形成することが更に有利なことも判明している。そのような溝は、ボードの材料内へ該ボードの端縁から外向きに延在する。また、ボードが支持構造体上で保持されるように、留めクリップの対応するリムはこの溝内に係合することができる。
【００２１】
あるいは、又は付加的に、ボードの端縁領域の少なくとも１つの凹所で非常の満足の行く結果が達成された。この凹所はねじ頭又は釘頭を受容する働きをする。これらの凹所は、個々のねじ又は個々の釘に対する皿穴としてそれぞれ構成し得る。しかしながら、その凹所も、ボードの端に沿ったある長さにわたる溝として構成することができる。その結果、使用される、固定する装置（つまりスクリュー、爪）の数は自由に選択することができる。最も広範な意味合いでは、そのような凹所は、２つのボードが結合状態にある際に、ボードの結合領域に存在しかつねじ又は釘の頭の両方、及び”一時的な留め（ｔａｃｋｉｎｇ）”によって適用し得るクリップの僅かに突出する部分を受容するのに適した自由空間としても形成し得る。
【００２２】
本質的に、任意の形式の錠、スナップ嵌入又はクリック嵌入動作は、同一形式の２つのボード間の錠止カップリングに適している。しかしながら、新たに設置されかつ既に設置された第１のボードに結合されるべき第２のボードが旋回できるように、カップリング外形を形成することが今では好ましい。換言すれば、第２のボードは、現在考慮中の２つのボード間の当接する端縁回りに少なくとも僅かに旋回し、かつこれにより定位置に固定される。
【００２３】
前述した実施形態及び溝内への舌片の実質的に平らな挿入によって行われる錠止結合の実施形態の両方に対して、本発明によるボードは、より下部の溝側面、すなわち、ボードの可視面とは反対側の溝境界は可視面に設けた溝側面に対して突出することが好ましい。ねじ頭又は釘頭、あるいは類似の留め手段を受容する付加的な留め装置は、例えば、これらの留め手段が僅かに上部溝側面を過ぎて斜めに取り付ける必要性無しで突出領域の１つ以上の凹所の形態で設け得る。むしろ、それらは、ボード表面に実質的に直角な方向に、上部溝側面に対して突出する領域に取り付けることができる。
【００２４】
同一形式の２つのボード間の錠止カップリングに対して、これらの２つのボードが互いに相互連結した端縁に平行な方向に互いに対して移動可能なように、前記錠止カップリングが構成されることが更に好ましい。以下に詳細に説明するように、これは、新たに設置され、かつ既に設置された第２のボードに加えて、第１のボードに結合すべき第３のボードが、自身の第１のボードに対する結合に引き続いて、カップリング端縁に平行な移動によって、前記カップリング端縁に直角な端縁において第２のボードに結合し得る可能性を創出する。
【００２５】
この点で、本発明によるボードが、互いに反対側にある、今までに考慮された第１及び第２片に加えて、矩形ボードの第３及び第４辺もまた錠止、スナップ嵌入又はクリック嵌入カップリングを備えることが好ましい。前述したように、全方向において特に確実かつ有利な継ぎ目の無いボードの組合せを実現することはこれによって可能である。更に、ボード自身がこの目的のために過度に大きく従ってもはや管理できないものでない、本発明による多数のボードを、比較的大規模な内装表面にさえパネル嵌めすることが可能とされる。この情況において、以下に詳細に説明するように、第３及び第４辺におけるカップリングは、実質的に平らな移動又は実のところ押しボタン態様でボード表面に実質的に直角な方向における降下運動によって行うことができる。
【００２６】
本発明によるボードの第３及び第４辺のこれらの結合手段に関して、これらの結合手段が、結合状態で舌片が溝内に６ｍｍ以下、好ましくは４ｍｍ以下突出する、舌辺−溝構成であることが有利であることが判明した。これは、考慮中の新たに設置された第３辺は、既に設置された第４ボードに対して第３又は第４辺において第３ボードを錠止するためにこの比較的短い距離だけ単に移動する必要があることを意味する。壁嵌めとして一番上のボードの取付時に、比較的狭い間隙野みが結果的に天井に向けて残るから、本発明によるボードは特に有利である。第３ボードを適切な態様で移動させるための工具の適用に必要であり得る更なる比較的小さな間隙と共に、最終段階で、例えば、最大８ｍｍの間隙が作られ、この間隙は、簡単かつ視覚的に魅力ある態様で、例えばアクリル性の、あるいは流体で永久的に弾発的な密封複合物で被覆することができる。比較的短い錠止又はスナップ嵌入距離を要する説明したカップリングは、互いに対する２つのボード及びこれらのボードの下に位置する支持構造体から成る、本発明による、上述したカップリングとは基本的に別個の発達の成果である。換言すれば、短い錠止又はスナップ嵌入距離を具備する、スナップ嵌入又はクリック嵌入カップリングの特別な利点は、上述した特徴無しでさえ表される。さらに、これは、本発明によるボードの第３及び第４辺のそのような錠止カップリングの、以下に記載する全ての実施形態に当てはまる。
【００２７】
第３及び第４辺に設けた溝に対して、空洞が舌片を受容する働きをする実際の溝に隣接することが特に好ましいがこれに限られるものではない。この空洞については、この空洞は舌片を受容する働きをする溝より狭い幅であることが好ましい。換言すれば、溝は前記空洞を構成するために、ボードの内部の方向にテーパが付されている。これは、錠止又はスナップ嵌入カップリングを構成するために必要な曲げ易さを備えた溝を制限する２つの溝側面を提供する働きをする。この手段によって、自身の機能及び同時に記載した短い錠止距離を実現することは可能である。これを考慮して、本質的にそれ自体比較的浅い溝深さで十分である。そのような比較的浅い溝の場合でさえ、説明した空洞は、相互連結は有利な溝側面の曲げ易さを創出する。
【００２８】
さらに、本発明によるボードの第３及び第４辺上の噛み合いに対して、第１及び第２辺に対しても実質的に考え得る発達の成果が好ましい。この情況では、最も広範な意味合いにおけるボードの可視面の方向に開いている溝が設けられる。従って、対辺では、舌辺は、ボードの排面の方向に延在する。２つの隣接するボードは、これにより、押しボタンの態様で、ボード表面に実質的に直角な動きを通じて互いに結合し得る。この形式の結合は、矩形ボードの４辺全ての方向における直線状の降下運動によって行うことができる。自身の第１又は第２辺内で旋回し得るボードの場合には、設置するべき新たなボードは、このボードが既に設置されたボードに対してこの辺上の正しい位置に取り付けられるように、第３又は第４辺上で噛合することができる。継ぎ目がない表面は、これにより有利なことに、新たに設置されたボードをその第１及び第２辺に平行に移動させる必要のない隣接するボードで作ることができる。
【００２９】
支持構造体に取り付けるための本発明によるボードの付加的留め手段は、ボードの背面上の少なくとも部分に設けられる自己接着性層によって更に構成することができる。そのような自己接着性層は、フィルム又は同様物によって取付時間まで保護することができる。その結果、接着剤はフィルムの単なる除去に引き続いて活性化され、その後、支持構造体に押圧される際にボードをしっかりと固定する。
【００３０】
ある適用では、本発明によるボードが支持構造体の一部又は部材上に取り付けるための適切なアダプターを備える場合に別の利点が提供される。支持構造体が、本発明によるボードの取付に使用される別個の部材を必ずしも備える必要がないことは、この結合で留意すべきである。むしろ、ボードの固定手段と一緒に作用する部材も支持構造体上に一体的に設けることができる。例えば、以下により詳細に説明するクリップは、特に押し出された外形として統合された構成部品として支持体又は副支持体上に形成することができる。この点で、ボード上に設けた留め手段と、これらと一緒に作動する副構造体の留め手段は、必ずしもボード及び副構造体のそれぞれから離して設ける必要はない。何れの場合にも、本発明は、本発明によるボードと、副又は支持構造体に取付可能か取り付けられた、あるいは支持構造体上に統合された、設けられた固定手段との組合せまで及ぶ。何故なら、そのような組合せは有利なことに間仕切り壁を作り出すか又は部屋の内装表面をパネル嵌めするために特に単一の可能性を創出する。
【００３１】
本発明によるボード上に設けた締結装置の更なる好ましい実施形態として引用されるべきは、本発明によるボードがこの構造体上にしっかりと保持されるような副又は支持構造体上にこのために設けた部材又は部分と一緒に作動する、少なくとも１つの凹所、特に機械にかけて工作した切込み、あるいは少なくとも１つの穴である。例えば、機械にかけて工作した切込みは、副構造体上の適切な部分が係合しかつ押しボタン態様で本発明によるボードを副構造体にしっかりと固定する、錠止チャネル又は幾つかの錠止開口を構成することができた。本発明によるボードの背面上への例えば、ねじ取付のようなアダプターの取付も考え得る。対応する噛合い構成部材は副構造体にしっかりと固定され、かつ本発明によるボードが押圧され、滑らされ又は錠止されることを可能にする。
【００３２】
ボードを少なくとも部分的に木製材料、特にＭＤＦ又はＨＤＦボードから、あるいはプラスチックから構成することが更に好まれる。更に、本発明によるボードは、少なくとも部分的に、添加剤又は追加の層で変更された前記材料の変更態様から構成し得る。何れの場合にも、約５００〜８００ｋｇ／ｍ、好ましくは約７５０ｋｇ／ｍの密度がＭＤＦボード材料に対して現在好まれる。本発明によるボードに適したプラスチックの場合には、密度が特に約１００〜１５０ｋｇ／ｍのより小さな値である。前記材料は、２つの隣接するボードを互いに留めかつ個々のボードを支持構造体に留めるために必要なこれらの外形に関する情報を必要な精度で許容する。更に、本発明による表面テクスチャは、メラミン樹脂によって紙又はフィルムを押圧することによって、木製材料の表面上で特に魅力的な態様で構成することができる。このように、一方で、ボードは低費用で生産することができる。また、他方で、そのようなボードを困難無しにしっかりと固定することが可能である。そのような木製材料の使用で、特にメラミン樹脂を含浸させた材料に適用された層を備えたラミネートとして、記載した表面は、特に現実的なシミュレーションを行うようにかつこれらの表面が磨滅、かき傷及び衝突に対する抵抗性及び清掃し易いように有利に実現することができる。最後に、類似したラミネートパネルは、例えば、床外被として使用されるから、そのようなボードは高負荷軸受能力を備える。その結果、更なる保護的な後処理無しで耐久力のある壁又は天井パネルとしてボードを使用することは可能である。特に、適切な留め具によって、５０ｋｇまでの荷重を本発明によるボードにしっかりと固定することができる。好ましい材料であるＭＤＦボードは、熱に関して快適な材料であるという長所を更に提供する。この材料は低熱透過係数を備えるため、この材料の表面は”暖かく”感じる。従って、本発明によるボードに向かい合う壁はコンクリート又は石壁又は石灰セメント・プラスター表面より暖かく感じる。
【００３３】
本発明によるボードの外観に関して、２つのボードが結合された状態にある際にそれらが覆われるように追加の固定手段が作られると利点がある。例えば、前面上に視認し得るボード端縁を越えて突出する材料帯片をボードに設けることができる。その結果、ボードは爪又はねじによってこの位置で支持構造体に固定することができる。隣接するボードの対応する端縁によってこの材料帯片を覆うことができる。
【００３４】
２つのボードを確実に一緒に結合するために、結合は噛合い又は錠止態様で行われることは重要であるが、本発明によれば、対応する結合手段は、２つの互いに結合されるボード間で強制的な嵌め合いが形成されるように構成される。従って、２つの隣接するボードは、張力下で互いに支持し合う。そして、２つのボード間に魅力のない継ぎ目が形成される危険性はない。
【００３５】
本発明によるボードの特に有利な発達の成果は、ボードが表面仕上シェル又は間仕切り壁として形成される点と、ボードが部屋内装表面として適した１つ又は２つの表面をそれぞれ備える点にある。部屋用の間仕切壁は、これにより特に単純な態様で創出することができる。これらの上にボードを適切な結合手段によって取り付けることができる、天井又は床、及び何れかの態様で構成される鉛直な外形は、このような実施形態では、本発明によるボードが２つの隣接するボード間の錠止結合に加えて取り付けられる、本発明の意味内での支持又は副構造体として引用し得る。
【００３６】
この場合、本発明によるボードは多層構造体を備え、中間層を備えることができる。そのような中間層は、これまでに知られている石膏ボードの代わりに本発明によるボード両側で直面する、好ましくは４０ｍｍの厚さの、例えば、ハニカム又は中空本体ボード、あるいは固締ボードから構成することができる。このように、本発明による、係合する結合手段は間仕切壁を、従来技術により現在可能なものより実質的により容易に構成可能にする。これにより、間仕切り壁は、鉛直部材及びこの部材にしっかりと固定される石膏ボードによって精巧な態様で作り出される。この実施形態では、錠止結合手段は、中間層及び少なくとも１つの現存する上側層の両方によって形成することができる。言及したように、鉛直部材を使用しない固定は、例えば、ペグによって床及び天井にしっかりと固定される、上側及び下側端縁上に設けられる、帯片によって、建設会社によって実現することができる。
【００３７】
内装構法のための本発明によるボードは、職人によって作リ出された壁表面仕上の典型的な表面テクスチャ、特にそのような表面仕上の突出部及び窪みを設けた表面を備える。壁紙、石膏処理した表面、特に細かく、粗いか又はきめを出されたプラスター、あるいは塗装技術によって作り出された表面は、工場で本発明による内装仕上ボードに予備形成された職人が作り出した壁表面仕上のような実例として引用し得る。全く明らかなように、現存する壁又はパネル上の例えば石膏ボードから形成されるそのような表面は、多数の個々の処理段階によって作り出さなければならない。そのような壁表面仕上の生産は、通常、６つの動作、すなわち２つのボード間の突合せ継手の充填、スムージング、装填、紙貼り及び塗料の下塗り及び上塗りの塗布に関連する。更に、これは相当な量の汚損を創出し、多量の異なる別個の材料の処分を要する。記述した６つの動作の全てと、清掃及び処理作業とは、本発明によるボードの使用を通じて保存することができる。
【００３８】
これは、そのような表面のテクスチャが、内装構法仕上作業のためにボード上に前もって設けられると有利であるからである。間仕切壁又は適切な外観を備えるパネルを創出するためには、幾つかのボードを互いに隣接するように単に取り付ける必要がある。後加工、特に充填、石膏細工又は紙貼りと塗装に関する動作の必要はない。内装構法仕上作業又は乾式構法における全体的な時間節約に帰着しかつ部屋を２〜３日早く占有することを可能にする、引用された６つの動作を分配することはできる。
【００３９】
さらに、本発明によるボードの表面は、この表面に普通のペンキを塗るか又は壁紙又はタイル表面仕上を設けることができるように有利に作ることができる。したがって、使用者がそのように望むなら、職人が作り出した壁紙の外被にはよくあるように、異なる着色又は表面仕上は後に必要に応じて塗布し得る。慣用の方法と比較して、例えば、下地フィルムを設けた、本発明によるそのようなボードの使用は４つの動作、すなわち、充填、スムージング、装填及び下塗りの塗布を依然として実施する。あるいは、本発明によるボードは、前述した材料、特にＭＤＦボードから構成することができ、変更又は添加剤又は付加層で被覆することができる。その結果、ボードは前述した動作を使用して被覆することができる。更に、本発明によるボードは、露出したままにしておき、そしてこの状態で被覆するか又は層を加えられる。部屋内装にとって可能かつ普通の全てのテクスチャは、本発明によりボード上に設け得る表面テクスチャとして考えられる。例えば、石膏壁の外観に対応する外観は適切なテクスチャによって形成することができる。更に、壁紙から分かるテクスチャを設けることの可能である。例えば、粗い繊維状外観を創出することができる。壁紙として知られているものには、比較的粗い織物から実質的に形成されるガラス繊維マットがある。この情況で作り出されたテクスチャは、本発明によるボードの表面上に設けることもできる。これは同様にガラス繊維メッシュに当てはまる。表面の物理的形態に関係なく、内装構方仕上作業は、本発明によるボードの適用が、最終壁表面仕上を形成するためにこれまで必要とされた多数の段階を小分けすることができるという点で本発明によるボードによって実質的に単純化される。更に、タイルが張られた表面は、本発明によるボードによって模倣し得る、職人が作り出した表面として引用し得る。
【００４０】
後者が職人によって作り出される着色に同様に対応する着色を備えると、本発明によるボードの特に魅力的な外観は達成される。この情況を特に考慮すると、例えば、小片、ローラー又はスポンジ適用技術が使用される場合に作り出されるような不規則な着色である。換言すれば、職人によってこのように高価に作り出される内壁着色は、工場で本発明によるボードに相応して適用される着色と置き換えることができる。使用者のために、間仕切壁の生産又は部屋の内装表面のパネリングは、従って、実質的により少ない出費、特に設置時間及びコストに関する利点、及びより少ない汚損を含んでいる。可視面を構成する本発明によるボードの表面の着色は、木製又はベニヤの外観、及び、何れのデサインとし得る、石、タイル又は所謂幻想的な装飾様式に更に対応することができる。更に、本発明によるボードは、その可視面上に純粋な木製ベニヤを設け得る。更に、前記材料及び表面被覆の変更が考えられる。特に、本発明によるボードは表面として適切な如何なる被覆も設けることができる。恐らくは集合体又は添加物を具備する、コルク又はプラスチック表面、自然又は人造石、応用セメント、流れ石は、実例として引用し得る。
【００４１】
本発明によるボードの外観に関して、及び隣接するボードの外観に関して、少なくとも１つのボードの全表面に亘って及び好ましくは同じ形式の幾つかのボードの表面に亘って不規則であることが有利である。これにより、本発明によるボードの表面が特に小型表面テクスチャを単に一緒に繰り返し加算することによって作り出される。これは、未熟な観察者でさえ認識し得る、”繰り返しパターン”形式の外観に帰着する。これとは対照的に、本発明によるボードにとって、表面テクスチャが少なくともボードの全表面に関して不規則であり、かくしてせいぜい隣接するボード上で繰り返されることが好ましい。しかしながら、好ましくは、表面テクスチャは、幾つかの隣接するボードに亘っても不規則である。これは、例えば、以下により詳細に述べるように、本発明によるボードの生産における適切な大型プレスプレートの使用によって達成し得る。この実施形態の場合、表面テクスチャは十分に大きな間隔を置いて繰り返される。その結果、繰返しパターンのイメージは如何なる方法でも作ることができない。むしろ、不規則な、職人が作り出した表面テクスチのイメージが作られる。
【００４２】
代替的に、あるいは他に、ボードの前面は異なる形式の着色を備えることもできる。従って、表面テクスチャに加えて、例えば、タイル付パターン、木の装飾様式又は同様物のような対応する着色を作り出すことができる。しかしながら、必要ならば、前面の着色デザインのみを３次元きめ出し無しで設け得る。この実施形態の場合、着色デザインが３次元きめ出しの光と影の効果をシミュレートするか、何れの場合も滑らかな、例えば、壁紙装飾様式のパターンの壁表面仕上の着色を模倣することができる。
【００４３】
本発明によるボードの汚損し易さ及び適用の多様性に関して、湿気に抗することができる表面密封材を具備するボードの前面を提供することが有利であると判明している前面は、注意するのが特に簡単な表面を創出するように防湿材表面塗装又は表面密封材を有利に備えることができ、かつ湿式洗浄剤を使って困難なく状態を保つことができる。
【００４４】
ボードは、有利には矩形形態とすることができる。密封材料は、長い端縁又は長くかつ短い端縁に貼付することができる。かくして隣接するボード、すなわち長手方向及び横方向の両方で隣接する隣接ボード上で弾性支持を可能にする。このように、例えば材料の膨張による僅かな動きは、弾性的な密封材料が変形するか又は膨張することで補償される。その結果、開放された、明瞭に視認し得る継手は隣接するボード間に生じることはない。あるいは、この位置で継ぎ目を許可するか強調さえすることが考えられることを言及しなければならない。例えば、壁紙当り部の外観に相当する外観を備えるそのような継ぎ目を許容することは可能である。その結果、これは承認することができかつ職人によって作り出される壁紙表面のイメージを作ることができる。あるいは、本発明によるボードの端縁は強調された継ぎ目、例えば、着色される継手材料を内部に挿入することができるＶ字形状のチャネルの当接部の領域に作り出すように斜角を付した形態にさえすることができる。その結果、継ぎ目は強調されかつ対応する外観が作り出される。
【００４５】
前記密封材料の代わりに、それによりボードが隣接したボードとのよりしっかりとした組合せを達成し、かつ確実に間隙継ぎ目を阻止するようにボードに接着剤を設ける準備を行なうことができる。使用者が困難無く接着剤を有利に取り扱うことができるために、それにより、ボードが取り付けられる前、あるいは２成分接着剤が使用され、この接着剤のそれぞれ１成分がボードの反対側端縁に配置される直前に取り除くことができるカバー帯片が接着剤に設ける準備を行うことができる。２つのボードを結合時、接着剤の２成分が互いに当接するように取り付けられる際に、接着剤のこれらの成分は組み合わせられ、かつ接着結合を行うのみである。
【００４６】
２つの隣接するボード間の堅い継ぎ目の無い結合は適切な錠止外形によって補償し得るが、或る適用では、代わりに又は他に２つの隣接するボードが接着剤によって一緒に結合されると好都合である。この実施形態では、結合された状態で接着剤が充填される糊受容チャネルが、互いに隣接する端縁の領域に設けられると有利である。
【００４７】
魅力的な外観については、少なくとも隣接するボードが適用される端縁に沿って、保護帯片、特に自己接着性保護帯片が表面上に設けられ、２つの隣接するボードが一緒に結合される際、この時、保護帯片が取り外し可能であると更に有利である。特に接着剤が使用される場合、ボードの表面がこれにより汚損に対して保護される。
【００４８】
使用者のための更なる簡素化は、本発明によるボードに絶縁材料が好ましくは背面に設けられ、もってそのような材料を別個に貼付する必要がなくなる好ましい実施形態によって達成することができる。これは断熱及び遮音材料の両方であり得る。例えば、有利な遮音性を備え、かつ、構造的な音を減じるために、通常は僅か数ミリメートルの厚さを要する音響又は遮音マットは、好ましくはパネルの背面に貼付することができる。更に、例えば、Ｓｔｙｒｏｐｏｒの絶縁マット又は例えば６０ｍｍ〜８０ｍｍの厚さのポリウレタンは、音響伝送を有利に減じるため、かつ断熱のために設けることができる。本発明によるボードの断熱性及び遮音性に影響を及ぼすことはこれにより可能である。更に、概略的な用語では、加熱又は空調装置、あるいは加熱又は空調成分層は、好ましくは本発明によるボードの背面に設けることができるが、これに限定されない。これは、例えば、比較的小さな厚さを備え、電流を通過させることによって加熱することができる金属フィルム又は電線を設けた加熱フィルムの形態にすることができる。その結果、本発明によるボードは部屋用加熱源とすることができる。あるいは、通常提供される装飾様式の紙の下、あるいは本発明によるボードの可視面としてそれ自体可視の”技術ベース”を構成する、そのような加熱フィルムを本発明による可視面に設けることが考えられる。そのような加熱フィルムはこれにより内装仕上作業の一体の構成要素となり、かつ内装構法仕上作業のためのボードへの別個の層として接合されない。薄状組織に押圧することによるそのような加熱フィルム又は何れかの加熱装置の統合は、薄状組織生産に関連して、前述のパラグラフに記載された発明及び本発明の種々の実施形態から独立した新機軸を構成する。換言すれば、ボードは、これにより、統合された加熱フィルム又は装置によって薄状組織から初めて作り出される。加熱フィルムに関して、それ自体、現在普通のプリント回路板又はカードの態様のプリント材料として、電気を導くことができかつ熱を放つ金属から構成することができることにも留意すべきである。
【００４９】
例えば、湿気及び／又は温度変化により、ボード又は支持構造体内に収縮が生じ得る。したがって、それによって個々のボードが自身の支持構造体上に移動自在に設置される準備を有利に行なうことができる。すなわち、ボードは浮動態様で設置され、その結果、例えば、支持構造体自体又はボードの材料が、ボードの曲がり又は歪みに帰着すること無く膨張することができる。対照的に、ボードは、例えば、上述した錠止結合又は接着接合によって固定された態様で互いに結合されると有利である。
【００５０】
ボードのそのような固定された遊びの無い結合が設けられない場合、ボード間の遊びは前述の密封材料によって有利に補償することができる。滑らかな閉鎖表面は、これにより、継ぎ目が開放することができないように維持される。
【００５１】
床張り材料領域から、個々のパネル部材は約３０ｃｍの最大の幅を備えるが、本発明によるワンマン・ボードは６０ｃｍ以上の幅を備え得る。例えば、それらは、既に言及したように、当接する端縁及びこの端縁に存在する何れかの不規則さの形態は、突合せ継手に貼付される壁紙帯片の可視端縁と同じ可視効果を創出するように、標準壁紙帯片サイズに合致するように寸法づけすることができる。
【００５２】
本発明により提供されるボードには、例えば、光沢レベル器（Ｌａｎｇｅ博士、測定角６０°）で測定した２．５〜５光沢レベル点の比較的低表面光沢レベルを作る準備をすることができる。これは、適切な積層構成、例えば、適切な押圧プレートの使用によって達成することができる。そのような押圧プレートの使用によって、積層の最頂部層はそれ自身周知の態様で型打ちすることができる。その結果、表面構成、及び特に表面粗さはそのような押圧プレートによって影響を受け得る。押圧プレートの構成とは別に、ボードの表面粗さ、したがって、積層の表面粗さは、例えば、使用する紙の形式、樹脂等級によって、塗布可能であれば、液体又は固体添加剤によって影響を受け得る。したがって、例えば、比較的粗い紙を使用することができ、あるいは添加剤を樹脂に含有し得るか又は該樹脂に加えることができる。
【００５３】
床仕上げ材の表面粗さより大きなそのような表面粗さが視覚的に望ましいより多くのマットボード表面を創出するのみならず、ニス又はペンキのより良い固着を可能にする。このように、壁及び天井パネル嵌めの生産時に色を直ちに決定するために、あるいは或る使用期間後に壁又は天井パネル嵌めの外観を変更すために、個々のボード又は完全に作り出された天井又は壁パネル嵌めは上塗りすることができる。
【００５４】
本発明による、ボード、壁及び天井パネル嵌めに対して、必要ならば、ボードが呼吸できるようにする準備をすることができる。このために、積層の生産において、例えばメラミン樹脂で被覆される所望の着色を備える装飾紙に対する準備をすることができる。所望のパターンに応じて、引き続いて加えるメラミン樹脂を反発させる可視又は不可視物質を刷り込み印刷することができる。その結果、さもなければ、メラミン樹脂によって影響される気密シールがこれらの位置で破断される。壁又は天井領域のボードは、通常、床領域におけるそのような高湿気荷重に晒されるから、シールのそのような破断は、ボード又は壁及び天井パネル嵌めの耐久性に悪影響を及ぼさずに設けることができる。このように、蒸気浸透性の壁及び天井パネル嵌めを達成することができる
【００５５】
隣接するボード間の大きく割れた継ぎ目は、大領域に亘ってできるだけ均一な外観を達成するために回避されるべきである。有利なことに、隣接するパネル部材の噛合いを可能にする、接着剤及び端縁の両方を使用する準備をすることができる。この噛合いは比較的弱く作ることができる。その結果、ボードは、過度に高い圧力による力を克服する必要なしに、互いに容易に結合することができる。これは、更なる接着剤が与えられると、この接着剤が乾燥して２つのボードの最終的な結合が見込まれるまで、噛合いは隣接するボードを単に一緒に保持する必要があるからである。例えば床のパネル部材の接着結合からも分かるように、張力バンドの使用は、このように不必要である。その結果、作業プロセスが促進される。
【００５６】
適用可能な場合、適切に外形付与されたローラーは、押圧プレートに対する代わりとして使用することができる。例えば、ボード表面として積層が使用されると、ボード材料の表面の適切な外形高さの達成は適切な紙、例えば、非樹脂ベース紙に対する通常の７０〜８０ｇ／ｃｍ３の標準物質より大きな重量を備える紙の使用によって容易にすることができる。さらに、積層の表面層の圧縮性を高め、これにより特に良い外形高さを可能にするために、付加層は、所謂、”下敷（ｕｎｄｅｒｌａｙｓ）”として使用することができる。
【００５７】
本発明によるボードは、第１に、それ自身周知の積層表面の種々の積層、第２に、例えば、木製材料から構成し得る心体、及び第３に、それ自身周知の反動紙のような反動材料が同時に結合して加工片を構成するという点で、特に廉価な態様で有利に作り出すことができる。これは、約４０ｋｇ／ｃｍの圧力で特にエネルギー節約及び、従って、廉価な態様で達成することができる。その結果、そのような積層ボードはそれ自身ＨＰＬ又はＣＰＬボードとして周知の生産における場合よりも実質的に安価に作り出すことができる。これらのＨＰＬ又はＣＰＬボードでは、積層の生産が第１に完了しなければならず、次いで積層は、すなわち、第２動作で約７０ｋｐ／ｃｍより実質的に大きい圧力の下に心体及び反動材料まで結合される。
【００５８】
本発明による目的は、第２に、部屋の新しい壁を生産するために、あるいは部屋の既存の表面にパネルを嵌めるための請求項２８に記載された方法によって達成される。
【００５９】
従って、最初に、第１のボードが取り付けられる。その後、第２のボードが第１のボードに結合され、錠止結合が現在考慮中の２つのボードの隣接する側面端縁、好ましくはこれらの長手方向端縁に作り出される。その後、第２のボードは更なる留め手段によって固定される。上述したように、この実施形態の第２のボードは別個の支持構造体にしっかりと固定されることが好ましい。本発明による方法は、新たな壁、特に間仕切り壁を作り出すか、あるいは壁、天井又は屋根表面にパネル嵌めするために、少ない費用で、確実に固定される、内装構法仕上作業を可能にする。表面に関して後加工する必要が無いので、本発明による方法の結果として魅力的な外観が達成される。更に、同じ水準上の配置が本発明による錠止結合によって保証されるので、２つの隣接するボードの当接部に何の偏倚も形成されないことが保証される。
【００６０】
本発明による方法の好ましい開発は、さらなる請求項に記述される。
【００６１】
ボードが、旋回運動によって設置することができ、これにより噛合すると有利である。特に好ましくない作動位置、例えば、頭上で作動する場合には、ボードの容易な操作及び迅速な設置を結合されたボードの確実な固定結合と同時に達成することはこのように可能である。この実施形態の場合、最初に、第１のボードが設置される。第２のボードの舌片が、第１のボードの側面端縁に斜めに加えられる。この第１のボードには溝が設けられており、この時、舌片は溝内に出来るだけ奥まで挿入される。第２のボードは引き続く旋回運動によって第１のボードと同一平面に持って来られる。この旋回運動は規則的噛合いを行うことを可能にする。明らかに、第２のボードの溝が第１のボードの舌片上に置かれ、次いで旋回されるという点で、設置順序を逆にすることが原理的に可能である。この旋回運動については、本発明のボードの短辺回り及び長辺回りの両方で行うことができることを留意すべきである。以下により詳細に述べるように、実質的に平らな移動によって又はボードに直角な降下運動によって、押しボタン態様で、他のすなわち長辺又は短辺上の隣接するボードへの結合が次いで行われる。
【００６２】
しかしながら、あるいは、それによって、自身の結合に先立って、２つのボードが共平面に配置され、かつ２つのボードが単に側面移動によって互いに結合されるような準備をすることができる。錠止結合は、例えば、パネル部材の適切な端縁外形によって達成することができる。ボードを全長２６０ｃｍに亘って一緒に押す際に、使用者が困難無く十分な力を加えることができるように、この端縁は、可能な限り最も低い抵抗力で２つのボードを単に一緒に押すように構成すると有利である。
【００６３】
本発明によるボードに関して前述したように、これに応じてボード上に設けた留めクリップ及び溝具は、例えば、留め手段として使用することができる。あるいは、ボードに設けた凹所と適切な態様で組み合わされる自己接着層又はねじ又は釘によって固締を行うことができる。
【００６４】
本発明による方法に関連して、第１及び第２のボードに続く第３のボードは、錠止、スナップ嵌入又はクリック嵌入結合を構成する、第１及び第２のボードの両方に結合されるように取り付けられることが更に好ましい。従って、本発明によるボードは、特定の方向に連続的ではなく互いに結合することができる。むしろ、比較的大きな表面は、幾つかのボードの列が個々のボードの列というよりはむしろ、互いに隣接して配置されるという点で本発明によるボードでパネル嵌めを行うことができる。前述の第２及び第３のボードは、その全体が考慮中の第１のボードの次に設置されるような列を構成する。
【００６５】
更に、第２のボードに結合するために、第１のボードと共に自身の結合端縁に平行に少なくとも僅かに移動されることは他への適用にとって好ましい。本発明による実際のボードに関して上述したように、この変位は比較的短距離、例えば６ｍｍ以下、好ましくは４ｍｍ以下で行われる。
【００６６】
平らな係合又はクリック嵌入によって結合するこの方法の代わりとして、第３及び第２ボード間の結合が第３ボードを第１ボードに連結するのと同時にそれ自体で行うことができる。第３ボードが第２ボードと当接する端縁で、ボード表面に実質的に平行に降下される。その結果、適切な噛合い外形がこの領域で互いに係合する。この運動は既に上記で”押しボタン”運動と呼ばれてきた。
【００６７】
平らな係合又はクリック嵌入によって結合するこの方法の代わりとして、第３及び第２ボード間の結合が第３ボードを第１ボードに連結するのと同時にそれ自体で行うことができる。第３ボードが第２ボードと当接する端縁で、ボード表面に実質的に平行に降下される。その結果、適切な噛合い外形がこの領域で互いに係合する。この運動は既に上記で”押しボタン”運動と呼ばれてきた。
【００６８】
更なる代案として、それによって隣接するパネル部材のより大きな保持力及びより大きな錠止力が、適切な端縁外形によって可能になされ、これにより、この実施形態の場合、パネル部材は自身の全長２６０ｃｍを超えて互いに同時に滑り込まないが、これらの２つのパネル部材は最初に共平面で整合されるが互いに対して斜めに設定される。その結果、Ｖ字形状の間隙が２つのボード間に作り出される。第２のボードの旋回運動によってこの間隙は閉鎖することができ、その結果、各場合に、適切に別個の接触点が作り出され、そこでは、２つのボードの噛合いにより、比較的大きな力を加える必要がある。２つのボード間のこの単に概ね別個の接触により、２つのボードのおよそジッパー形式の継ぎ目が作り出され、その結果、各場合に、２つのボードに対する閉鎖力は対応する、概略別個の領域に加える必要がある。このように、ボードの取付は単純化される。また、内部に加えるべき力も減じられる一方で、同時に、高保持力を保証することができる。
【００６９】
前述した設置手順は、例えば、２つの長手方向側のボードの２つの対辺で行なうことができる。舌及び溝外形が他の２つの辺、すなわち、例えば、２つの両端部に設けられる場合、これは２つのボードの単なる摺動運動を許容するように有利には構成することができる。その結果、前記第２のボードは、最初に、共通の長手方向端縁で第１のボードに結合され、次いで長手方向の移動によって共通端部端縁で第３のボードに結合される。
【００７０】
周辺端縁外形がボード上に設けられる場合、これは、例えば、粉にされたボード材料自体から直に作り出すことができる。しかしながら、実際のボードの端縁に取り付けられる特別の外形帯片の使用に対する準備も行なうことができる。したがって、例えば、それによって、そのような外形帯片が最終的な外形を与えられた、予め組み立てられた半完成製品とし安価に使用され、かつ実際のボードに結合される。
【００７１】
しかしながら、より良い寸法上の安定性のために、例えば、実際のボード材料より端縁により適した材料製外形帯片を使用する準備を行うことができる。この場合、それによって帯片がボードに最初に取り付けられ、次にボードが、例えば、フライス研削盤による外形付与プロセスによって案内される準備を行なうことができる。
【００７２】
更に、自由に変形可能な材料、例えば、液体プラスチック又は発泡プラスチックから外形帯片を作り出すことができ、かつこの帯片を該帯片が成形される間にボード上に接着する準備を行うことができる。そのような実施形態では、ボードは相応して外形付与された中空形態に沿って案内することができ、中空形態はプラスチック又はプラスチック発泡体で充填され、かつ発泡体又はプラスチックはボードの残部に対して接着される。特に適切な圧力が、例えば、発泡プラスチックの膨張挙動によって加えられる場合、ボード材料が、例えば、木製材料形態の多孔質である場合には、この材料のボード材料への深い接着を達成することができる。必要ならば、それによってそのような帯片が半完成品として実際のボードに取り付けられ、そして、例えば、研削による第２の処理動作では、この半完成品は所望の外形形状に形成される準備を行うことができる。
【００７３】
例えば、留めクリップ、ねじ又は釘（ｎａｉｌｓ）によって、適切な装置によるボードの支持構造体への覆われた固定の場合には、例えば、紙製又は石膏ボード表面の場合には達成可能でありかつ知られたような、特に均一、連続的な構成の壁、天井又は天井パネル嵌めを行うことができるように、例えば、ボード材料によって、あるいは中間接着剤又は密封材によって隣接するボードの直接当接をボードが許容することが特に有利である。
【００７４】
図面に表した本発明の実施形態を以下により詳細に説明する。
【発明の実施の形態】
【００７５】
極めて概略的な図１では、参照符号１は、内装構法仕上作業のための同一形式の２つのボードを示す。一方のボード１は溝２を備え、他方のボード１は隣接するボード１の溝２内に延びる舌片３を備える。舌片及び溝の組合せは、ボード平面に対して横方向に作用しかつこれらのボードを支持構造体から離れるように持上げる傾向がある力に対して、２つのボード１を固定する。これらのボード１は、反対方向には、図１には表していない支持構造物上に支持されるようにして固定される。図１に示す実施形態、及び、以下に述べる全ての実施形態の両方に対して、図１の表現では実際に上側面である、本発明によるボード１の表面が部屋内部の方に向けられるように構成された、所謂、可視面であるという点を言及しなければならない。この可視面は、接触面７において、２つの隣接するボードがこの面で識別できるジョイントを備えないという点で識別可能である。全ての更なる図面では、これに応じて、可視面はより低い表面として表された面で構成される。
【００７６】
ボード１は、接触面４によって、これらのボードを引き離しかつボード１の長手方向端縁に対して横方向に作用する分離力に対して固定される。この接触面４に沿って、舌片３の下側に形成されたリブ５は、２つのボード１の係合を行って、保持チャネル６の側壁上で支持する。
【００７７】
これらの分離力に対して反対に作用し、かつ２つのボードを互いに向けて押す傾向がある力は、接触面７によって吸収される。この接触面では、２つのボード１は互いに支持し合い、かつこの接触面は正面、すなわち、部屋の内側から、支持構造体に向けられた２つのボードの表面から後向きに延在する。
【００７８】
図１に示す設置状態では、２つのボードが壁の一部又は天井パネルを構成し、４つの接触位置８ａ〜８ｄが作られる。接触位置８ｃは接触面４に等価である。これらの４つの直列又は平らな接触位置８ａ〜８ｄは、分離又は曲げ力に対して２つのボード１を定位置に固定し、その結果、これらの２つのボード１の長手方向で互いに対する２つのボード１の平行な移動のみが、摩擦力とは別に更なる保持力を克服する必要無しに可能である。特に、互いに連結されるボード１の端縁の外形は、４つの規定された接触位置８ａ〜８ｄが作られるように配置される。この場合、２つの別個の接触位置８ｃ及び８ｄは、保持チャネル６を備える溝側面の正面領域に形成される。接触位置８ｄは、ボードの表面に直角な方向への該ボードの正確な位置決めをする。同様に、接触位置８ｃは、表面に平行な方角に正確な位置決めをするために設ける。この場合、当接端縁７と、リブ５の内側（図１では右側）フランクとの間の、ボードの表面に平行に測定された距離は、当接端縁７と、強制嵌合が都合良く作り出される、保持チャネル６、５０内の接触位置８ｃとの間の距離よりも大きくすることができる。さらに、保持チャネル６と、協働する溝側面の正面外周との推移は、保持チャネル６内のリブ５の滑らかであるがそれと分かる係合を作り出すように、比較的大きな半径を具備する、丸形態をしている。
【００７９】
図１は、糊無しの２つのボード１の結合を示す。しかしながら、舌３より上位かつ上側接触面７より下の凹所９は、２つのボード２が継手を密封する態様で互いに永久的に結合される際の過度の糊を受容する目的の糊受容チャネルとして働く。
【００８０】
ボード１は旋回運動によって設置することができ、これにより互いに噛み合う。この場合、自身の溝２が示される、例えば左側ボード１が最初に設置される。第２のボード１の舌片３は、第１のボード１の側面端縁に斜めに加えられる。舌片は溝２内で出来るだけ遠くまで挿入される。これは、溝２がこの溝２の開口に向けて上昇し、そしてこのようにして特に図１に示す挿入チャネル１１を構成する、上側端縁１０を備えるという点で容易にされる。
【００８１】
同様に、舌片３は、該舌片３の自由端に向けて斜角を付けられた、すなわち上昇する方向を有する下面１２を備える。この挿入運動は、一方で溝２の上側及び下側の境界端縁を具備する舌片の接触によって、そして他方でこれらの上側接触面７の領域における２つのボード１の接触によって制限される。図１に示すように、右側ボード１の連続旋回が働き、舌片３が溝２内へ完全に挿入され、接触面４において噛み合う。他の点では、図１に示す実施形態に関して、国際公開第０１／５１７３３号パンフレットの開示は、その全開示内容が本願の主題にされた。
【００８２】
図２は、２つのボード１の基本的に類似した、つまり噛合い係合し得る端縁形状を具備する第２実施形態を示すが、この実施形態ではこの形状は２つのボード１の強度が弱く構成されたインターロックをもたらす。内装構法仕上作業用ボードの実質的に大きな寸法と、これに応じて標準的な床パネルと比較してより大きなボードの端縁長さとの視点から、ボードの設置を簡素化するようにより弱い錠止抵抗を創出し得ることは有利である。必要に応じて、例えば、矩形形態を有するボードの場合、長手方向端縁の端縁形状が端部端縁の形状と異なるように、ボードの外周端縁の異なる部分に異なる端縁形状を与えるための準備をすることもできる。２つの隣接するボードが実質的に平らな移動によって互いに結合し得るように、支持構造体１５に向けて面する舌片３の側の認識し得る保持リブと、対応する溝側面の凹所とを具備する、舌片と溝の構成が形成される。換言すれば、図２の左側に示されるボードは、更に、留めクリップ１６によってまず取り付けられる。これは図面には示されていないが、留めクリップ１６が明らかに支持構造体にしっかりと固定されることを言及しなければならない。これは、例えば、留めクリップの表面を越えて突出せず、かくして本発明によるボードの取り付けを妨げない、皿頭ねじによって有利に実現し得る。あるいは、異なる形式のねじの頭は、ウェブ１８とボードの端縁との間に示された中空の空間に受け入れ得る。図２の左に示す第１ボードの取付に続いて、右に示す第２ボードは、横方向に動かされかつ支持構造体上に配置される。ボードの表面に平行な変位は溝内に舌片を押圧し、保持リブと、この保持リブのための受容チャネルとの間の相互作用によって錠止結合を行う。
【００８３】
図２に示す実施形態の場合には、シールが、接触面７領域の２つのボード１間に設けられる。この目的のために使用されるのは、密封材料１４から成る付加的帯片、迅速な取付のために工場でボード１の１つにそれ以前に塗布し得るか、あるいは所望に応じて使用者によってボードの１つに塗布し得る、例えば、シリコン帯片である。
【００８４】
２つのボード１は留めクリップ１６によって概略的に示す支持構造体１５にしっかりと固定される。後者の留めクリップは、支持構造体１５に糊付にするか、釘付けにするか、ねじ込み又は同様に結合し得るベースプレート１７から成る。ウェブ１８はベースプレート１７から延在し、角度付リム１９は前記ウェブから左に示すボード１の溝２０内に延在する。図２に示すように、留めクリップ１６は比較的幅広いベースプレート１７を備える。留めクリップ１６の残部のように、このベースプレートは、実質的に帯片形式の留めクリップ１６に帰着する、図２の投影平面に直角な方向に或る距離に亘って延在し得る。図示する実施形態では、ウェブ１８はベースプレート１７から実質的に直角に延在し、角度付リム１９が今度はウェブ１８に対して実質的に直角、そして最終的にはベースプレート１７に平行に延在する。しかしながら、ボード１内の対応する整合された溝２０と相互作用して或る固締作用が行われるように、リム１９はまた或る角度で延在し得る。図面は、溝２０の背後ではボード１がウェブ１８まで延在しないことを極めて概略的な態様で示す。２つのボード１の整合、例えば引き延ばされた矩形ボード１の垂直整合は、隣接するボード１が自身の接触領域７で各場合に互いに支持し合うように行われる。
【００８５】
しかしながら、用意を行なうこともでき、これにより舌片３の背後にある、図２の右に示す、ボードの部分又は溝２０の背後にある左側のボード１の部分は、留めクリップ１６のウェブ１８まで延在し、これによりボード１の当接を行い、ボード１の所望の例えば垂直な整合を保証し、ボード１が傾斜できないように阻止する。しかしながら、各場合には、両ボードはむしろウェブ１８まで延在しないが、例えば、湿気及び／又は温度差によるボードの膨張運動を可能にする自由空間が残るような用意もある。このように、ボード１の浮動装置が可能にされる。その結果、後者は引張力によるクラックの発生、あるいは押圧力による壁又は天井パネルの歪み無しに材料に特有な態様で”働く”ことができる。
【００８６】
図３は図２に類似した実施形態を示すが、この実施形態では、密封材料１４から成る帯片がなく、代わりに、接着剤２１による２つのボードの糊付が提供される。この場合、チャネルを受容する接着剤としての凹所９は接着剤２１で満たされる。ボード１の表面から出現する接着剤２１は、概略的に示す工具２２で削除し得る。
【００８７】
工具２２は、例えば、接着剤２１が部分的又は極めて多量に硬化した後にこの接着剤を好ましくは取り除き得る、ブレードとし得る。工具は、例えば、接着剤がまだ硬化せずに、柔らかくかつ膨らんでいる間に好ましくは取り除き得るへらとし得る。
【００８８】
工具２２を使ってボード１の表面の損傷（ブレード）又は汚損（へら）を阻止するために、過度の接着剤を連続して取り除き得る、工場で調製された自己接着帯片２３が長手方向端縁に沿って表面に設けられる。
【００８９】
図３に表す実施形態の場合には、２つのボード１間のシームの視覚的な強調を創出するための用意が単に例によってなされる。このために、ボード１の２つの端縁に斜角が付されかつこれらの端縁はＶ字形状の継手内に接着剤２１を受容する。しかしながら、図２に類似した斜角が付されていない端縁の形成も可能であり、この場合には接着剤２１は密封材料１４の変わりに設けられる。
【００９０】
図４は、ボード１が噛合しない実施形態であり、この実施形態における２つのボード１は代わりに接着剤２１によって互いにしっかりと結合される。後者の接着剤は、ボード１の端部領域内まで延在し、かつ、例えば、前もって工場で塗布し得る。
【００９１】
したがって、例えば、最初に保護帯片によって硬化に対して保護される単一成分の接着剤を設け得る。保護用帯片の除去に続いて、２つのボード１は一緒に結合することができ、その結果、その後、接着剤は硬化し、２つのボード１は一緒に結合し得る。
【００９２】
あるいは、両方のボードの２つの相互作用する端縁部分の各々は、全体として２成分から成る接着剤２１の１成分が被覆される。その結果、２つのボードが結合されると、接着剤は反応を引き起こして活性化される。
【００９３】
図４１に示す実施形態の場合には、単なる実例によって、可視溝２４が壁及び天井パネルの視覚的な織り目を出すことを慎重に達成するための接触面７の領域に設けられる。
【００９４】
図５は、図２の実施形態に類似しているが、ボード１が、中間密封材料無しで、自身の接触面７の領域で互いに直に当接する実施形態を示す。錠止結合、特に接触面４の位置は、２つのボード１間で強制的な嵌合を行い、２つのボードが接触面７の領域で互いにしっかりと当接することを保証する。
【００９５】
図５によるこの実施形態は、２つのボード１間の特に目立たない縫目を可能にする。その結果、例えば、個々の壁紙帯片が互いに当接する壁紙の平坦な印象に類似した、全壁又は天井パネルの特に広範囲に亘るイメージが達成される。
【００９６】
図６及び図７に示す実施形態は、実質的に図４及び図５に示す実施形態に対応するが、これらの実施形態では、ボード１は、図１〜図７までに代表される実施形態の場合のように全体として極めて概略的な態様で示した、留めクリップ１６ではなく、ねじ２５によって支持構造体２５にしっかりと固定される。左に示すそれぞれのボード１は、各々が自身の溝２の背後に、正面に示すボード外周を越えて突出する溝リップ２６を備え、ねじ２５はこの溝リップ２６を貫通延在する。
【００９７】
ねじ頭の妨害する突出を防ぎ、かつ溝２内への舌片３の問題の無い挿入を保証するために、溝リップ２６には、全て、あるいは図示した実施形態の場合のように、ねじ頭のほとんどを受容することができるそれぞれの凹所２７が設けられる。これらの凹所２７は、例えば、使用者がこれにより位置の表示を設けることができる溝リップ２６中の別個の窪みとして作り出すことができる。この位置ではねじ２５が使用され、ボード１をしっかりと固定するための量である。しかしながら、凹所２７は、使用者が支持構造体１５の構成によりそれぞれの適切な留め位置を選択することができる溝リップ２６、５０の全長に亘って延在する溝の形態ともすることができる。
【００９８】
図示した全ての実施形態に共通なことは、ボード１が極めて概略的形態で表されているという事実である。この極めて概略的な表現に反して、それらは、好ましくは、２つ以上の異なる層あるいは材料から成る：第１に、例えば木製材料から成る心体材料から、第２に、例えば、積層の表面から成る。積層自身は、今度は、異なる材料の層から構成することができる。特にこの表面は３次元構造を有することができる。つまり、穴及び／又は突出部を有する。
【００９９】
同様に、支持構造体１５は極めて概略的な形態で図２〜図７に示される。
乾式構法手仕事にはいつものことであるが、これは、例えば、アルミニウム外形とし得る。しかしながら、支持構造体１５は、さらに木製の木摺構造あるいは例えば石細工のような既存の天井か、壁部材、ボード１とパネル嵌めされる屋根ビーム又は類似物とし得る。
【０１００】
図８及び図９による実施形態の場合には、構造は以前に記述された実施形態のそれに似ている。ボード１の図８の左側ボードであるボード１の１つは、右側に示したボード上に設けられる舌片３を受容するために特に溝２を持っている。以前に記述された実施形態と異なり、この場合、舌片及び溝が図８の右側に示すボードの旋回嵌入運動のために作られる。それは左側ボードに取り付けられることになっている。この目的のために、例えば、部屋の表面の方へ面する溝側面には斜角２８が設けられる。舌片３は、部屋から離れて面するその側面で丸くされる。そして、適切な表面３０を持っている。この表面は部屋内部からのより大きな距離にある溝側面の相応して傾けられた表面３２上に担持される。考慮中の溝側面の前部側へ丸められた遷移部３４を持っている、保持チャネル６がこの溝側面上に設けられる。舌片の上で突出するリブ５はこの丸められた遷移部で錠止されるかクリック嵌入態様で係合する。２つのボードは、そのために継ぎ目無しに互いにつなぐことができる。さらに、図１に関して既に記述された定義された４点における２つのボード１の接触の特に有利な変形は、図８及び図９に示した実施形態の場合に実現される。最初の２つの接触位置８ａおよび８ｂは舌片３の前部領域に錠止される。つまり、可視面の方へ面する舌片の側面に、及び可視面からそれている舌片の側面に、それぞれ錠止される。第３接触位置８ｃは、突出するリブ５と保持チャネル６の丸められた遷移部３４の間の接点に位置する。図１に示した実施形態と異なり、しかしながら、第４接触位置８ｄは、保持チャネル６と、より低い溝側面の前部端縁４０の間に位置しない。これは、自由空間が、留めクリップ１６の部分１９用のこの領域で必要であるからである。図８及び図９に示した実施形態の場合には、それらの表面に実質的に直角な方角に互いに対して２つのボードの位置を定義するために、接点位置８ｄは、舌片３の傾けられた表面３０と、可視面からそれている溝側面の傾けられた表面３２との間の接触領域に設けられる。言及したように、ボード表面に直角な方角における位置の固定は、このコンタクト位置８ｄによって実質的に行われる。ボード１の表面に平行な方角における位置の定義及び２つのボード１間の継ぎ目がない結合は、接触位置８ｃによって達成される。特に、この場合、舌片３を備えるボード上で、接触位置８ｃと、ボードの可視面上側端縁との間の寸法は、一方で、溝を備えるボードの可視面上側端縁と、他方で、保持チャネルの丸められた遷移部３４との間の対応する寸法より僅かに大きく、その結果、この位置で強制嵌合される。さらに、４つの接触位置８ａ〜８ｄの記述された配置構成は、例えば、留めクリップ１６形態の更なる固定装置の使用とは独立したものと考えられるべき手段であり、かつ、例えば、床ボードを含む何れのボードにおけるその利点を呈する。もし、ボード表面に直角な方向に位置を固定するために使用される第４接触位置８ｄが、舌片３の傾斜した下部、あるいは真っ直ぐであるが定義した態様で接触位置８ｂから分離された舌片の底部の接触位置に設けられる場合、図示したクリップ１６あるいはさらに爪による固定によって、より低い溝側面の前部端領域を更なる固定手段に使用することができるという点で、実質的な利点がある。
【０１０１】
図８に示した実施形態の場合の更に特別な証拠は、遷移部で、一方で、ボード表面と実質的に平行であって接触位置８ｂを備える領域と、及び他方で、傾斜した表面３０との間で、可視面からそれて面する舌片３の表面は、互いからこれらの２つの接触領域を分ける、少なくとも小さな凹所５２を備える。従って、換言すれば、可視面からそれて面する舌片３の側面の屈曲部は、必ずしも、それぞれの溝側面の側の対応する屈曲部に結合される必要はない。もっと正確に言えば、互いに関しての定義された位置に２つのパネルを固定するために、接触位置８ｂで、及び２つの傾斜した表面３０、３２の間でのみ接触する必要がある。図８によれば右側にある更なるボードは、図８による左側ボードが１つ以上の留めクリップ１６によってベースに固定された後にのみ取り付けられる。この留めクリップは、前述した留めクリップに実質的に相当する。しかしながら、図８も示した実施形態の場合の特殊性は、溝を備える側で、留めクリップの部分１９を受容するために、本発明によるボードは更なる溝（２０；図２参照）を備えていないということである。もっと正確に言えば、部屋内部からそれて面する溝側面の高さは、この位置では、部分１９のための自由空間あるいは凹所３８があるように部屋からそれて面する舌片ボードの側（右側）の自由空間３６に一致する。更に、そこに考慮中の溝側面の前部端縁４０と、舌片ボード上の反対側端縁４２との間に、部分１９を留めクリップ１６のベースプレート１７に結合する留めクリップウェブ１８内に受容される適切な自由空間４４が存在する。この点に関して、この実施形態の場合、更なる留め手段、すなわち、自由空間３６、４４が２つのボードの結合領域にこれらの結合状態で形成される。
【０１０２】
図９は、図８による実施形態の斜視図を示す。これは、２つのボード１の熟慮した結合端縁の方向にある留めクリップ１６の寸法を示す。この寸法は比較的短い。その結果、幾つかのそのようなクリップは端縁に沿って、通常、使用される。開口４６は、クリップを、例えば、ねじによって支持構造体に固定することができる。その結果、更なるボード、すなわち、図９による左側ボードは、前述した態様で引き続いて取り付けることができる。クリップによる固定に関して、引き続いて設置されたボード、すなわち、図９による左側ボードは、結合端縁の方向に移動可能である。特に、使用される留めクリップがそのような変位を妨害しないように、自由空間３８は特に選択される。この変位は、更なる第３ボードを第３及び第４辺（前述の実施形態は第１及び第２辺にのみ関係していた）において結合可能にする。
【０１０３】
この場合、図８の左側ボード１は、ボード１がクリップに対して矢印Ａの方向に移動することができるように、さらに、クリップ１６の部分１８及び１９によって取り付けられる。ベース又は支持構造体への“浮動（ｆｌｏａｔｉｎｇ）”固定はこれにより構成される。この結果、幾つかの相互に結合されたボードの組合せは、クリップ１６に対して移動することができる。また、ボードのそのような収縮又は旋回の効果は、可視面上に大きく口をあけるボードの危険無しに提供することができる。この効果は同様に図２〜図５による実施形態にも同様に当てはまる。特にこれらの実施形態の場合には、ウェブ１８が一つの溝側面の前部端縁４０からの十分な距離にあり、もって、矢印Ａ方向の運動が全方向に可能にされることを保証しなければならない。これは、有利なことに数ミリメートルの大きさの程度での移動を許容する。さらに、図８及び図９による実施形態の場合には、中央のより大きな開口は、長手方向穴の形態をしている。その結果、必要なら、クリップ自体もこのクリップが取り付けられている支持構造体に対して僅かに移動することもできる。あるいは、前記利点は、支持又は副構造体がそれ自体移動可能であるという点で達成することができる。換言すれば、本発明による幾つかのボード間の結合と、支持又は副構造体とは堅固であろう。パネル嵌めされたものは、支持又は副構造体、特に同一物の木摺又は梁が建物の固定部分に対して移動可能に取り付けられる。
【０１０４】
第３及び第４辺の記述された結合は、更なる図面に示される。この場合、図１０による実施形態は、結合が一直線状の摺動運動によって実質的に達成されるので、図２、図３、図５及び図６による実施形態に対する類似性を備える。部屋からそれて面する舌片５の側に形成されたリブ５は、特に溝２に隣接して、溝側面上に構成される、保持チャネル６によって錠止又はスナップ嵌入態様で係合する。溝２は同様に部屋内部から離れて面する。図１０に示す結合の特殊性は、舌片３が比較的短くかつ溝２内へ或る程度まで突出するのみであるということである。錠止に必要な摺動距離は、前述した第３ボードの旋回時に、舌片３の前部端縁を、既に設置した第２ボードの溝側面の前部端縁に移動させる必要があるから、舌片３の外側端縁と、部屋の方へ面する溝側面の前部端縁との間の距離Ａによって実質的に決定される。これが達成された場合に限り、図１０による第３ボードを、図１０に示した取付状態を採用するために左右方向に移動させることができる。図１０による実施形態の場合には、舌片３の長さが、溝２中の舌片３の確実な支持のために必要な寸法に実質的に短縮される。しかしながら、これは、一緒の平面上の摺動によって結合することができる周知の結合と比較して、実質的により短い挿入距離の実現を可能にする。この距離は比較的小さな間隙が天井の方へ残るのように既存のボードに結合されるべき壁上に取り付けられる最終又は“一番上の”ボードさえ可能にする。図１０による実施形態に関して留意すべき更なる特殊性は、溝ベースが傾斜されるということである。
【０１０５】
これは、同様に図１１に示す実施形態に当てはまる。それは、図１１による上部溝側面である、部屋からそれて面する溝側面が部屋側の溝側面より更に延在し、しかも保持チャネル６は、リブ５を受容するためのこの領域に設けられるという点で図１０に示す実施形態とは異なる。これはある適用のために好まれ、さらに、図１０に示した実施形態に関して前述したものと同じ利点を達成する。
【０１０６】
図１２に示す実施形態は、第１に、リブ５及び保持チャネル６の境界の両方が、僅かにかぎ付きの形態を備えるという点で図１１に示すものと異なる。更なる特殊性は、舌片３を受容する役目をする、実際の溝２が、図示した実施形態では、溝２より小さな幅（図１２による頂部から底部までの寸法）の実際の空洞４８に隣接するという点にある。しかしながら、これは絶対に必要ではない。もっと正確に言えば、空洞４８は溝２として、少なくとも部分的に同じ幅を備え、さらに、任意のフォームであり得る。空洞４８により、より低い溝側面は、それ自体、空洞４８のベースへ延在される。このより長い形成物により、溝側面は、特によい偏差特性に帰着するより大きな程度の柔軟性及び可能な舌片の方向を設けることができる。これらの特性は結合を達成する保持チャネル６の境界を過ぎてリブ５が移動することを可能にするために必要である。図１２に示す実施形態の場合には、溝２又は空洞４８のベースに基づいて構成するクラックのより少ない危険性が特に存在する。
【０１０７】
この利点は、図１３に示す実施形態に当てはまる。この場合、同様に、溝２は、記述された利点に帰着する空洞４８に隣接する。他の点では、舌片３及び溝２の結合の構成は、リブ５、及び図１０に示す実施形態の保持チャネル６に相当する。
【０１０８】
図１４は、この図１４によれば左側のボードである、新たに設置されたボード１は、運動の結果として、図１４によれば右側のボードである既に設置されたボード１に係合し、前記運動はボード表面に実質的に直角である実施形態を最後示す。換言すれば、新たに設置されることになっているボードは、自身の第１又は第２辺において、既に設置された第１ボード又は第２ボードに斜めに加えられ、例えば、図８及び図９に示す結合によれば引き続いて旋回下降される。その適用は、ボード表面から実質的に直角にそれて面する図示する舌片３が、ボードの上部側の方へ開いている溝２に概ね整合されるように行われる。下降に際して、その後、舌片３は図１４に示す位置内を通過し、錠止態様で保持される。これは舌片３の実質的にマッシュルーム形状の形成物によって行われ、この舌片は、拡大された端部を自身の上に具備し、特に、前述したリブに対応する錠止突出部５が形成される。前記錠止突出部は、溝２上の適切な空洞５０内に受容される。
図１４に示す結合は、幾つかのボードを、それらの第３及び第４辺に信頼できる態様で継ぎ目無しに結合することができる。他の点では、図１４に示す実施形態に関して、ＷＯ  ０１／５１７３３の開示事項は、その全内容が本願の主題とされる。
【図面の簡単な説明】
【図１】２つの互いに結合されたボードの第１及び第２辺の領域内のボード結合領域の断面図である。
【図２】２つの互いに結合されたボードの第１及び第２辺の領域内のボード結合領域の断面図である。
【図３】２つの互いに結合されたボードの第１及び第２辺の領域内のボード結合領域の断面図である。
【図４】２つの互いに結合されたボードの第１及び第２辺の領域内のボード結合領域の断面図である。
【図５】２つの互いに結合されたボードの第１及び第２辺の領域内のボード結合領域の断面図である。
【図６】２つの互いに結合されたボードの第１及び第２辺の領域内のボード結合領域の断面図である。
【図７】２つの互いに結合されたボードの第１及び第２辺の領域内のボード結合領域の断面図である。
【図８】２つの互いに結合されたボードの第１及び第２辺の領域内のボード結合領域の断面図である。
【図９】図８に示す実施形態を表す斜視図である。
【図１０】２つの互いに結合されたボードの第３及び第４辺の領域内のボード結合領域の断面図である。
【図１１】２つの互いに結合されたボードの第３及び第４辺の領域内のボード結合領域の断面図である。
【図１２】２つの互いに結合されたボードの第３及び第４辺の領域内のボード結合領域の断面図である。
【図１３】２つの互いに結合されたボードの第３及び第４辺の領域内のボード結合領域の断面図である。
【図１４】２つの互いに結合されたボードの第３及び第４辺の領域内のボード結合領域の断面図である。
【符号の説明】
１  ボード
２  溝
３  舌片
４  接触面
５  リブ
６、５０  保持チャネル
７  接触面
８ａ〜８ｄ  接触位置
９  凹所
１０  上部端縁
１１  挿入チャネル
１４  密封材料
１２  下面
１５  支持構造体
１６  留めクリップ
１７  ベースプレート
１８  ウェブ
１９  リム
２０  溝
２１  接着剤
２３  自己接着性帯片
２５  ねじ
２６  溝リップ
３０、３２  表面
３４  遷移部
３６、４４  自由空間
３８  凹所
４０  前部端縁
４６  開口
４８  空洞
５２  凹所
【国際公開パンフレット】
2004517234.tif 000002
2004517234.tif 000003
2004517234.tif 000004
2004517234.tif 000005
2004517234.tif 000006
2004517234.tif 000007
2004517234.tif 000008
2004517234.tif 000009
2004517234.tif 000010
2004517234.tif 000011
2004517234.tif 000012
2004517234.tif 000013
2004517234.tif 000014
2004517234.tif 000015
2004517234.tif 000016
2004517234.tif 000017
2004517234.tif 000018
2004517234.tif 000019
2004517234.tif 000020
2004517234.tif 000021
2004517234.tif 000022
2004517234.tif 000023
2004517234.tif 000024
2004517234.tif 000025
2004517234.tif 000026
2004517234.tif 000027
2004517234.tif 000028
2004517234.tif 000029
2004517234.tif 000030
2004517234.tif 000031
2004517234.tif 000032
2004517234.tif 000033
2004517234.tif 000034
2004517234.tif 000035
2004517234.tif 000036
2004517234.tif 000037
2004517234.tif 000038
2004517234.tif 000039
2004517234.tif 000040
2004517234.tif 000041
2004517234.tif 000042
2004517234.tif 000043
2004517234.tif 000044
2004517234.tif 000045
2004517234.tif 000046
2004517234.tif 000047
2004517234.tif 000048
2004517234.tif 000049
2004517234.tif 000050
2004517234.tif 000051
2004517234.tif 000052
2004517234.tif 000053
2004517234.tif 000054
2004517234.tif 000055
2004517234.tif 000056
2004517234.tif 000057
2004517234.tif 000058
2004517234.tif 000059
2004517234.tif 000060
2004517234.tif 000061
2004517234.tif 000062
2004517234.tif 000063
2004517234.tif 000064
2004517234.tif 000065
2004517234.tif 000066
2004517234.tif 000067
2004517234.tif 000068
2004517234.tif 000069
2004517234.tif 000070
2004517234.tif 000071
2004517234.tif 000072
【国際公開パンフレット（コレクトバージョン）】
2004517234.tif 000073
【国際調査報告】
2004517234.tif 000074
2004517234.tif 000075
2004517234.tif 000076
2004517234.tif 000077
2004517234.tif 000078
2004517234.tif 000079